(57)【特許請求の範囲】
【請求項１】
屋根上に突出したボルト体を、挟着具本体と押圧板体とで挟着して屋根に固定される構造とした屋根上物品取付具であって、
前記ボルト体は屋根上において、座金を介してナットで螺着されるようになっており、
前記挟着具本体は、屋根面に添設される脚部と、屋根上に起立する挟着板部と、屋根上物品を固定する台座部とを備えて略コ字形状とされ、前記挟着板部の一方の側面に、内面に凹凸を形成した凹溝部が形成されており、
前記押圧板体は、前記挟着具本体の凹溝部に対向し得る、内面に凹凸を形成した凹溝部を有して、前記挟着具本体の一部を切り起こして前記挟着具本体と一体に成形されており、
前記挟着板部の下部の中央には前記切り起こしによる切り欠き空間が形成され、下部の両端には前記脚部の上方につながる起立脚片が形成されており、
前記切り欠き空間には、前記ボルト体に螺着した前記ナットと、その下方の前記座金とが配されるようになっており、
前記挟着具本体の凹溝部と、前記押圧板体の凹溝部との間に配した前記ボルト体を、前記挟着具本体、前記押圧板体をボルト、ナットで締め付けて挟着する構造としたことを特徴とする屋根上物品取付具。
【請求項２】
請求項１において、
前記屋根は折板屋根とされ、
前記脚部は、前記折板屋根の頂部に載置される脚片と、該頂部の端部に係合する、前記脚片の端部より折曲された足片とを備えたことを特徴とする屋根上物品取付具。
【請求項３】
請求項１または２において、
前記凹溝部の内面同士を突き合わせて形成される開口が、突き合わせ方向の径を短径とした略楕円形状であることを特徴とする屋根上物品取付具。
【発明の詳細な説明】
【技術分野】
【０００１】
本発明は、屋根上に突出したボルト体を挟着して固定される構造とした屋根上物品取付具に関する。
【背景技術】
【０００２】
折板屋根の上面に、たとえばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具が提案されている（たとえば、特許文献１、２参照）。
【０００３】
特許文献１、２に記載された屋根は、山部と谷部とが交互に連続してなる折板屋根における山部の頂部で、隣接する屋根材同士を重ねてなる重合部をボルト体とナットの螺着によって連結、固定する重ね式連結構造となっている。そして、その折板屋根に取り付けられる屋根上物品取付具は、屋根材の重合部を折板屋根の下方より貫通して屋根上に突出した、屋根材連結のためのボルト体の軸部を、先端が相対向する挟着片で挟着することで設置できるようになっている。
【０００４】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体の軸部に係止されるので、屋根上物品取付具は容易に外れることなく屋根上にしっかりと固定される。
【先行技術文献】
【特許文献】
【０００５】
【特許文献１】特開２０１３−１１０６８号公報
【特許文献２】特開２０１３−１１０６７号公報
【発明の概要】
【発明が解決しようとする課題】
【０００６】
しかしながら、特許文献１の屋根上物品取付具は、２部材よりなる挟着具本体を用いた構成であるため、現場での取付作業は面倒である。また、２部材をボルト、ナットで仮締めした状態で出荷すれば現場の作業を効率よく行えるが、輸送時にボルト、ナットが緩んで両挟着具本体が分離するおそれがあるし、きつく締めておけば現場で緩めなくてはならず、手間がかかる。
【０００７】
また、特許文献２の屋根上物品取付具は、１部材よりなる挟着具本体を用いた構成であるため、取り扱いはしやすいが、離間して一体化された一対の脚片を締め付ける作業には力を要する。
【０００８】
そもそも、特許文献１、２の屋根上物品取付具は、上述したように離間した一対の脚片を締め付けて脚片間で先端が向かい合う挟着片をボルト体に挟着させる構造であるため、大掛かりで大型な構造となりやすい。よって、部材管理、保管、梱包、搬送のいずれにおいても不便である。
【０００９】
本発明は、このような事情を考慮して提案されたもので、その目的は、現場での取付作業を楽に行うことができる、小型でシンプルな構造の屋根上物品取付具を提供することにある。
【課題を解決するための手段】
【００１０】
上記目的を達成するために、請求項１に記載の屋根上物品取付具は、屋根上に突出したボルト体を、挟着具本体と押圧板体とで挟着して屋根に固定される構造とした屋根上物品取付具であって、ボルト体は屋根上において、座金を介してナットで螺着されるようになっており、挟着具本体は、屋根面に添設される脚部と、屋根上に起立する挟着板部と、屋根上物品を固定する台座部とを備えて略コ字形状とされ、挟着板部の一方の側面に、内面に凹凸を形成した凹溝部が形成されており、押圧板体は、挟着具本体の凹溝部に対向し得る、内面に凹凸を形成した凹溝部を有して、挟着具本体の一部を切り起こして挟着具本体と一体に成形されており、挟着板部の下部の中央には切り起こしによる切り欠き空間が形成され、下部の両端には脚部の上方につながる起立脚片が形成されており、切り欠き空間には、ボルト体に螺着したナットと、その下方の座金とが配されるようになっており、挟着具本体の凹溝部と、押圧板体の凹溝部との間に配したボルト体を、挟着具本体、押圧板体をボルト、ナットで締め付けて挟着する構造としたことを特徴とする。
【００１１】
請求項２に記載の屋根上物品取付具は、屋根は折板屋根とされ、脚部は、折板屋根の頂部に載置される脚片と、該頂部の端部に係合する、脚片の端部より折曲された足片とを備えたことを特徴とする。
【００１２】
（削除）
【００１３】
請求項３に記載の屋根上物品取付具は、凹溝部の内面同士を突き合わせて形成される開口が、突き合わせ方向の径を短径とした略楕円形状であることを特徴とする。
【発明の効果】
【００１４】
本発明によれば、次のような効果がある。
【００１５】
請求項１に記載の屋根上物品取付具によれば、ボルト体を挟着する挟着具本体および押圧板体が一体に成形されているため、現場で取り扱いがしやすく、取付作業が楽に行える。一体となっているため、部材管理、保管、梱包、搬送のいずれにおいても利便性が高い。また、挟着具本体にくらべ押圧板体は小さく形成できるので、全体を小型化できる。
【００１６】
請求項２に記載の屋根上物品取付具によれば、頂部の端部に係合する足片を備えているため、回転ずれなどのずれを防止できる。
【００１７】
（削除）
【００１８】
請求項３に記載の屋根上物品取付具によれば、凹溝部の内面同士を突き合わせて形成される開口が、突き合わせ方向の径を短径とした略楕円形状であるので、種々の径のボルト体に屋根上物品取付具を固定することができる。
【図面の簡単な説明】
【００１９】
【図１】（ａ）は本発明の一実施形態に係る屋根上物品取付具の斜視図、（ｂ）は押圧板体が開いた状態を示す斜視図である。
【図２】（ａ）は凹溝部同士の突合せ状態を示した部分拡大横断面図、（ｂ）は径大なボルト体を挟着した状態の部分拡大横断面図である。
【図３】図３（ａ）（および図４の（ｂ）、（ｃ））は、屋根上物品取付具の屋根への取付手順を示す正面図である。
【図４】（ｂ）、（ｃ）は屋根上物品取付具の屋根への取付手順を示す縦断面図である。
【図５】屋根上物品取付具の取り付け対象である屋根（折板屋根）の部分斜視図である。
【図６】本発明の他の実施形態に係る屋根上物品取付具の縦断面図である。
【発明を実施するための形態】
【００２０】
以下に、本発明の実施の形態について、添付図面を参照しながら説明する。
【００２１】
図１に示した屋根上物品取付具１が取り付けられる屋根としては、図５に示した折板屋根Ｙが挙げられる。また、屋根の素材としては、金属や合成樹脂、セメント系等のものが適用できる。
【００２２】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００２３】
このナットＣ１は、図例においては、その下方の山状の座金Ｃ２とともに座金部Ｃを構成している。座金Ｃ２は、ボルト孔からの水の浸入を防止するための防水パッキン（不図示）を覆っている。なお、座金部Ｃは、図例のような座金Ｃ２を含まず螺着用のナットＣ１のみで構成してもよい。
【００２４】
また、折板屋根Ｙの裏側には、正面視で折板屋根Ｙと略同形状をなす、ボルト体Ｂによる固定のための支持金具Ｙ３（図３参照）が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２５】
この屋根上物品取付具１は、挟着具本体１０および押圧板体２０を有してなる。挟着具本体１０および押圧板体２０のそれぞれは、上下方向の凹溝部１２ａ、２１を有しており、凹溝部１２ａ、２１間でボルト体Ｂを挟着する構成となっている。挟着具本体１０と押圧板体２０とは一体成形されている。本実施形態では、押圧板体２０が切り起こしによって形成されて、挟着具本体１０および押圧板体２０の下端部同士が連結部１５を介して連結されている。
【００２６】
挟着具本体１０は、折板屋根Ｙの頂部Ｙ１ａの上面に添設される一対の脚部１１、１１と、脚部１１、１１の端部より折曲され頂部Ｙ１ａ上に起立する挟着板部１２と、屋根上物品を設置する台座部１３とを備えて略コ字形状とされている。
【００２７】
挟着板部１２の上部の外側の側面には、内面に凹凸１２ａａを形成した凹溝部１２ａが形成されている。その凹溝部１２ａの両側の平板部には、ボルト体Ｂを挟着固定するためのボルト３１を挿通させるボルト挿通孔１２ｂ、１２ｂが形成されている（図１（ｂ）参照）。
【００２８】
挟着板部１２の下部は、その中央が押圧板体２０の切り起こしによる切り欠き空間が形成されており、下部の両端には、脚部１１、１１の脚片１１ａ、１１ａの上方につながる起立脚片１２ｃ、１２ｃが形成されている。図１（ａ）に示したように、屋根上物品取付具１を屋根上に設置した際には、この切り欠き空間にナットＣ１（図５参照）と座金Ｃ２（図５参照）とを含む座金部Ｃの全体が配される。
【００２９】
脚部１１は、起立脚片１２ｃ、１２ｃの下端より台座部１３に平行に延びた、折板屋根Ｙの頂部Ｙ１ａに載置される脚片１１ａ、１１ａと、その先端に斜め下方に折曲された足片１１ｂ、１１ｂとを備えている。この足片１１ｂ、１１ｂは折板屋根Ｙの山部Ｙ１の斜面に沿った傾斜形状とされ、脚部１１を折板屋根Ｙの頂部Ｙ１ａに設置した際に頂部Ｙ１ａの端部に係合する。
【００３０】
押圧板体２０は、挟着板部１２の下端側を切り起こしによって形成された板片であり、湾曲して折り曲げられた連結部１５を介して、挟着具本体１０との間にわずかな隙間１６を配して挟着板部１２と平行に起立した状態に配されている（図１（ａ）参照）。
【００３１】
押圧板体２０は、その幅方向の中央に、挟着具本体１０の凹溝部１２ａに対向し得る凹溝部２１が形成されており、その両側には、ボルト体Ｂを挟着固定するためのボルト３１を挿通させるボルト挿通孔２２、２２が形成されている。挟着具本体１０との隙間１６は、凹溝部１２ａ、２１同士の突き合わせによりできる筒状体に径大なボルト体Ｂをスムーズに挿通できる程度とすることが望ましい。なお、押圧板体２０は、起立した状態にしなくてもよく、図１（ｂ）のような状態にしておいて、現場でボルト体Ｂを間に挟んだうえで凹溝部１２ａ、２１同士を突き合わせるようにしてもよい。
【００３２】
挟着板部１２の凹溝部１２ａおよび押圧板体２０の凹溝部２１は、幅方向において同位置に形成されており、図１（ａ）のように凹溝部１２ａ、２１の内面同士を突き合わせて、ボルト体Ｂを挟着できるようになっている。また、図１（ｂ）に示したように、挟着板部１２の凹溝部１２ａと押圧板体２０の凹溝部２１とは連続しておらず、図２（ａ）、（ｂ）のように、それらの凹溝部１２ａ、２１の突き合わせによって両端が開口された筒状体に形成されている。
【００３３】
また、凹溝部１２ａ、２１同士を突き合わせた状態では、ボルト挿通孔１２ｂ、２２同士も重合し、重合したボルト挿通孔１２ｂ、２２にはボルト３１（根角ボルト）を挿通させることができるようになっている。
【００３４】
それぞれの凹溝部１２ａ、２１は、挟着板部１２と押圧板体２０とを隙間なく突き合わせた場合の突き合わせ方向の径（両凹溝部１２ａ、２１の溝底間の距離）が、溝幅寸法よりも小さくなるように形成されている。つまり、両凹溝部１２ａ、２１を突き合わせてできた筒状体の横断面は略楕円形状となっている（図２（ａ）参照）。
【００３５】
いずれの凹溝部１２ａ、２１の内面には、凹溝部１２ａ、２１のほぼ全長にわたりねじ溝よりなる凹凸１２ａａ、２１ａが形成されている。凹凸としてはねじ溝に限らず、種々のものが適用でき、複数の略平行な細溝や同様の突条でもよく、梨地状の凹部、凸部などでもよい。凹溝部１２ａ、２１間にはボルト体Ｂが挟着されるので、細溝や突条はボルト体Ｂのねじ山に沿って横方向に形成するほうが望ましい。
【００３６】
このように、ボルト体Ｂを凹溝部１２ａ、２１間に挟み込んだ状態で、２組のボルト３１、３１、ナット３２、３２を螺合することで、ボルト体Ｂを挟着し、固定状態を維持することができる。
【００３７】
このような両凹溝部１２ａ、２１によれば、ボルト体Ｂの軸部Ｂ１をしっかりと挟着することができる。また、溝幅寸法を溝底間の長さよりやや大きくしたことにより、図２（ｂ）のような径大なボルト体Ｂも挟着することができる。
【００３８】
また、凹凸１２ａａ、２１ａが形成された両凹溝部１２ａ、２１でボルト体Ｂを挟着する構成であるため、屋根上物品取付具１のボルト体Ｂからのずれや外れが発生しにくく、屋根上物品取付具１を安定的に屋根上に設置することができる。さらに、凹凸１２ａａ、２１ａをボルト体Ｂの軸部Ｂ１に接触させて摩擦力でしっかりと固定できる構成であるため、軸部Ｂ１が錆びて螺合ができないボルト体Ｂに対しても強固に取り付けることができる。
【００３９】
このような屋根上物品取付具１は、たとえば図３および図４の（ａ）〜（ｃ）に示した手順で折板屋根Ｙに取り付ければよい。
【００４０】
まず、凹溝部１２ａ、２１同士を突き合わせた状態の屋根上物品取付具１を、ボルト体Ｂの上方よりボルト体Ｂに装着する（図３（ａ）参照）。挟着具本体１０の挟着板部１２と、押圧板体２０との間には隙間１６が空いているため、径大なボルト体Ｂに対しても屋根上物品取付具１を容易に装着できる。
【００４１】
ついで、挟着具本体１０のボルト挿通孔１２ｂと、押圧板体２０のボルト挿通孔２２とにボルト３１を挿通させてナット３２で螺合する（図４（ｂ）参照）。
【００４２】
ボルト３１、ナット３２のさらなる螺合により、凹溝部１２ａ、２１間のボルト体Ｂを締め付ける（図４（ｃ）参照）。
【００４３】
しっかりと締め付けることで、両部材によってボルト体Ｂの軸部Ｂ１は押圧され、軸部Ｂ１のねじ溝と凹溝部１２ａ、２１の凹凸１２ａａ、２１ａとが絡み合って、屋根上物品取付具１はしっかりと固定される。このような締め付けによって、挟着具本体１０のボルト挿通孔１２ｂとをつなぐ連結部１５は変形する。
【００４４】
また、挟着具本体１０と押圧板体２０との間に図３に示したような隙間１６を有した状態で、予めボルト３１、ナット３２を取り付けておいてもよい。予めボルト３１、ナット３２を取り付けておけば、現場では屋根上物品取付具１をボルト体Ｂに装着してナット３２を締め付けるだけでよく、現場作業をより迅速にできる。
【００４５】
また、予めボルト３１、ナット３２で両板（挟着板部１２と押圧板体２０）を仮止めしておけば、隙間１６を設けて成形された両板は仮止めによって反発力（弾性復帰力）が生まれるため、輸送中などにナット３２が緩むおそれはない。しかも、隙間１６を狭めることなく締め付けておけば、現場でボルト３１、ナット３２を緩めることなく、すぐに使用できる。なお、かりに別体の２部材を予めボルト３１、ナット３２で合体しておく場合、２部材間を隙間なくしっかりとナット３２止めしておけば現場で緩めなければ使用できないし、一方、隙間のある状態で仮止めしておけば、輸送中にナット３２が緩んで外れてしまうおそれがあるが、本屋根上物品取付具１の場合、このようなことが起こるおそれはない。
【００４６】
このように、挟着具本体１０および押圧板体２０が一体に成形されているため、現場で取り扱いがしやすく、取付作業が楽に行える。また、一体となっているため、部材管理、保管、梱包、搬送のいずれにおいても利便性が高い。また、挟着具本体１０にくらべ押圧板体２０は小さく形成できるので、全体を小型化できる。
【００４７】
また、脚部１１は、頂部Ｙ１ａの端部に係合する足片１１ｂ、１１ｂを備えているので、屋根上物品取付具１を屋根上に設置した後に発生する回転ずれなどのずれを防止できる。
【００４８】
以上の実施形態では、挟着具本体１０の挟着板部１２の外側でボルト体Ｂを押圧板体２０で挟着する構造としているが、図６に示したように、挟着板部１２の内側に押圧板体２０を配してボルト体Ｂを挟着できるようにしてもよい。なお、その他の構成については図１のものと同様であり、各部については同一の符号を付してその説明を省略する。
【符号の説明】
【００４９】
１          屋根上物品取付具
１０        挟着具本体
１１        脚部
１１ａ      脚片
１１ｂ      足片
１２        挟着板部
１２ａ      凹溝部
１２ａａ    凹凸
１２ｂ      ボルト挿通孔
１２ｃ      起立脚片
１３        台座部
２０        押圧板体
２１        凹溝部
２１ａ      凹凸
２２        ボルト挿通孔
３１        ボルト
３２        ナット
Ｙ          折板屋根
Ｙ１        山部
Ｙ１ａ      頂部
Ｂ          ボルト体
Ｂ１        軸部
Ｃ１        ナット
Ｃ２        座金
【要約】
【課題】現場での取付作業を楽に行うことができる、小型でシンプルな構造の屋根上物品取付具を提供する。
【解決手段】挟着具本体１０は、屋根面に添設される脚部１１と、屋根上に起立する挟着板部１２と、屋根上物品を固定する台座部１３とを備えて略コ字形状とされ、挟着板部１２の一方の側面に、内面に凹凸１２ａａを形成した凹溝部１２ａが形成されており、押圧板体２０は、挟着具本体１０の凹溝部１２ａに対向し得る、内面に凹凸２１ａを形成した凹溝部２１を有して、挟着具本体１０と一体に成形されており、挟着具本体１０の凹溝部１２ａと、押圧板体２０の凹溝部２１との間に配したボルト体Ｂを、挟着具本体１０、押圧板体２０をボルト３１、ナット３２で締め付けて挟着する構造となっている。
【選択図】図１【図１】
0005640114.tif 000002
【図２】
0005640114.tif 000003
【図３】
0005640114.tif 000004
【図４】
0005640114.tif 000005
【図５】
0005640114.tif 000006
【図６】
0005640114.tif 000007